【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
熱又は炎が発生し得るキッチン機器を覆う排気フードの開口内に設置するためのグリスフィルターであって、
外部フレームアセンブリと、
前記外部フレームアセンブリ内に配置される中央有孔挿入体であって、前記外部フレームアセンブリ及び該中央有孔挿入体は該中央有孔挿入体の両側に前記グリスフィルターの下流側チャンバと前記グリスフィルターの上流側チャンバとを定義する、中央有孔挿入体と、
前記グリスフィルターの下流側チャンバ内に配置されるＵＬ１０４６規格のグリスフィルターであって、該ＵＬ１０４６規格のグリスフィルターは前記外部フレームアセンブリに固定されている、ＵＬ１０４６規格のグリスフィルターと、
前記グリスフィルターの上流側チャンバ内に配置される取り外し可能な有孔挿入体であって、前記外部フレームアセンブリは該取り外し可能な有孔挿入体が前記中央有孔挿入体から離間した関係で前記上流側チャンバ内に該取り外し可能な有孔挿入体が取り外し可能に設置されるように構成されている、取り外し可能な有孔挿入体と、
前記取り外し可能な有孔挿入体に隣接して前記グリスフィルターの上流側チャンバ内に配置される取り外し可能な使い捨てグリスフィルターパッドと、
を含み、
前記取り外し可能な有孔挿入体は前記グリスフィルターパッドに支持を提供して前記グリスフィルターパッドが概ね平らな構成で維持されるように構成されている、グリスフィルター。
【請求項２】
前記ＵＬ１０４６規格のグリスフィルターは少なくとも第１の列のバッフル及び第２の列のバッフルを含み、該第１の列のバッフル及び第２の列のバッフルは互い違いの関係にある、請求項１に記載のグリスフィルター。
【請求項３】
前記第１の列のバッフル及び前記第２の列のバッフルは、厚さが約０．７５〜１．５インチ（１．９０５〜３．８１センチ）のバッフルフィルターを定義する、請求項２に記載のグリスフィルター。
【請求項４】
前記グリスフィルターパッドは、ウール繊維、木質系のビスコース繊維及びセルロース系合成繊維のうちの１つ以上を含む、請求項１に記載のグリスフィルター。
【請求項５】
前記グリスフィルターパッドは、前記取り外し可能な有孔挿入体に取り外し可能に連結されるように構成された少なくとも１つの面を含む、請求項１に記載のグリスフィルター。
【請求項６】
前記取り外し可能な有孔挿入体はヒンジ機構を通じて前記外部フレームアセンブリに連結されている、請求項１に記載のグリスフィルター。
【請求項７】
前記中央有孔挿入体は前記外部フレームアセンブリの１つ以上の分離タブに固定されている、請求項１に記載のグリスフィルター。
【請求項８】
１つ以上の取っ手が前記外部フレームアセンブリに枢結されている、請求項１に記載のグリスフィルター。
【請求項９】
前記第１の列のバッフル及び前記第２の列のバッフルのそれぞれは、気流が通る開口を提供するために互いに離間された複数のバッフルを含む、請求項２に記載のグリスフィルター。
【請求項１０】
熱又は炎が発生し得るキッチン機器を覆う排気フードの開口内に設置するためのグリスフィルターであって、
気流が通る通路を定義するとともに前記グリスフィルターの第１のチャンバ及び前記グリスフィルターの第２のチャンバを部分的に定義する外部フレームアセンブリと、
前記グリスフィルターの第１のチャンバ内に配置されるＵＬ１０４６規格のグリスフィルターであって、該ＵＬ１０４６規格のグリスフィルターは前記外部フレームアセンブリ内で固定されている、ＵＬ１０４６規格のグリスフィルターと、
前記グリスフィルターの第２のチャンバ内に配置される取り外し可能な有孔挿入体であって、前記外部フレームアセンブリは該取り外し可能な有孔挿入体が前記ＵＬ１０４６規格のフィルターから離間した関係で前記第２のチャンバ内に取り外し可能に設置されるように構成されている、取り外し可能な有孔挿入体と、
を含むグリスフィルター。
【請求項１１】
前記取り外し可能な有孔挿入体に隣接して前記グリスフィルターの第２のチャンバ内に配置される取り外し可能な使い捨てグリスフィルターパッドをさらに含む、請求項１０に記載のグリスフィルター。
【請求項１２】
前記取り外し可能な有孔挿入体は前記グリスフィルターパッドに支持を提供して前記グリスフィルターパッドが概ね平らな構成で維持されるように構成されている、請求項１１に記載のグリスフィルター。
【請求項１３】
前記ＵＬ１０４６規格のグリスフィルターは少なくとも第１の列のバッフル及び第２の列のバッフルを含み、該第１の列のバッフル及び第２の列のバッフルは互い違いの関係にある、請求項１０に記載のグリスフィルター。
【請求項１４】
前記第１の列のバッフル及び前記第２の列のバッフルは、厚さが約０．７５〜１．５インチ（１．９０５〜３．８１センチ）のバッフルフィルターを定義する、請求項１３に記載のグリスフィルター。
【請求項１５】
前記グリスフィルターパッドは、ウール繊維、木質系のビスコース繊維及びセルロース系合成繊維のうちの１つ以上を含む、請求項１１に記載のグリスフィルター。
【請求項１６】
前記グリスフィルターパッドは、前記取り外し可能な有孔挿入体に取り外し可能に連結されるように構成された少なくとも１つの面を含む、請求項１１に記載のグリスフィルター。
【請求項１７】
前記取り外し可能な有孔挿入体はヒンジ機構を通じて前記外部フレームアセンブリに連結されている、請求項１０に記載のグリスフィルター。
【請求項１８】
前記外部フレームアセンブリ内に配置されるとともに前記外部フレームアセンブリの１つ以上の分離タブに固定される中央有孔挿入体をさらに含む、請求項１０に記載のグリスフィルター。
【請求項１９】
１つ以上の取っ手が前記外部フレームアセンブリに枢結されている、請求項１０に記載のグリスフィルター。
【請求項２０】
前記第１の列のバッフル及び前記第２の列のバッフルのそれぞれは、気流が通る開口を提供するために互いに離間された複数のバッフルを含む、請求項１３に記載のグリスフィルター。
【手続補正２】
【補正対象書類名】明細書
【補正対象項目名】０００６
【補正方法】変更
【補正の内容】
【０００６】
本発明の別の実施形態によれば、フィルターアセンブリは、フィルターパッドが埋め込まれた再利用可能な外部支持フレーム（reusable  external  support  frame）であって、該再利用可能な外部支持フレームは、該フィルターパッドに支持を提供して該フィルターパッドを概ね平らな構成で維持するように構成されている再利用可能な外部支持フレームと、グリス粒子を吸収するように構成された、例えばウール繊維、木質系のビスコース繊維及びセルロース系合成繊維等の繊維を含むフィルターパッドとを含み得る。前記フィルターパッドは、前記再利用可能な外部支持フレームの後部端部の中に押し込まれていてもよい。
【手続補正３】
【補正対象書類名】明細書
【補正対象項目名】０００８
【補正方法】変更
【補正の内容】
【０００８】
そのため、本発明の実施形態は、複数の部品で構成されない再利用可能な外部支持フレームを有するフィルターアセンブリを提供する。それに加えて、このフィルターアセンブリは、グリスを含む空気からグリス粒子を効果的に除去するか又は低減できる。従って、バッフルフィルターはより長い期間にわたってよりきれいな状態で維持され得るため、より効果的な防火障壁となる。何故なら、燃料源（例えばグリス粒子）は任意のバッフルフィルター及び／又は配管に到達する前に気流から低減されているからである。それに加えて、フィルターアセンブリがバッフルフィルターの上流に位置している場合、フィルターアセンブリはバッフルフィルターの全体にわたって炎が均一に広がるようにし得る。従って、バッフルフィルターは火及びダメージから保護され、より良好に機能し、より長い期間にわたってよりきれいな状態で維持される。
【手続補正４】
【補正対象書類名】明細書
【補正対象項目名】００４６
【補正方法】変更
【補正の内容】
【００４６】
グリスフィルター１６を組み立てるには、図２０〜図２７に示すように再利用可能な外部支持フレーム１０１をひっくり返して再利用可能な外部支持フレーム１０１の折り返された後端（folded  back  edges）１０３を露わにする。フィルターパッド１０２の端部は、露わになった再利用可能な外部支持フレーム１０１の折り返された後端１０３の下に押し込まれ得る。グリスフィルター１６の組み立てが完了すると、再利用可能な外部支持フレーム１０１はフィルターパッド１０２に支持を提供し、フィルターパッド１０２を概ね平らな構成で維持しながら、フィルターパッド１０２がキッチンの床から見えるように保つ。
【手続補正５】
【補正対象書類名】明細書
【補正対象項目名】００４８
【補正方法】変更
【補正の内容】
【００４８】
再利用可能な外部支持フレーム１０１は定期的に洗浄が必要となる一方で、フィルターパッド１０２は時々交換が必要になり得る。そのため、本発明の実施形態によれば、グリスフィルター１６はキャノピー１０から取り外し可能であるとともに、キャノピー１０に再度設置される前に効率的に洗浄／交換することができ得る。
【手続補正６】
【補正対象書類名】明細書
【補正対象項目名】００４９
【補正方法】変更
【補正の内容】
【００４９】
再利用可能な外部支持フレーム１０１は、例えばステンレス鋼、亜鉛めっき鋼、アルミニウム又は同様の材料から作られ得る。再利用可能な外部支持フレーム１０１は正方形又は矩形であり、その寸法は例えば約１〜３フィート×約１〜３フィート×約数インチであり得る。当然ながら、グリスフィルターは所望により任意の寸法で作ってもよい。一対の取っ手６２が下側バッフルアセンブリ２０の周囲フレーム２４に枢結され、グリスフィルター１６をキャノピー１０に対して設置及び取り外しを行う間に容易に扱うことができる。